(57)【要約】【課題】測定が行われる領域が分かりやすい測定装置を備える表示装置を提供する。【解決手段】測定対象領域を含む所定の制御対象領域を複数の領域に分割する手段と、分割された複数の領域よりなる分割領域群の中から１以上の分割領域を指定領域として指定する指定手段と、指定領域を含む２以上の連続して並ぶ分割領域群を所定の物理量が測定される測定領域として決定する決定手段と、測定対象領域内の複数の分割領域のうち測定領域と測定領域以外の非測定領域とを所定の表示画面の表示領域内に区別可能に表示する表示制御手段と、ユーザによる測定領域の変更操作を受付ける操作受付手段と、を備える構成を提供する。この構成において、表示制御手段は、測定対象領域内の複数の分割領域の各々を変更操作に基づいて測定領域又は非測定領域に表示制御することにより、測定対象領域内における測定領域の位置を変更操作に応じた位置に移動させる。【選択図】図４
2015072426.tif 000002
【特許請求の範囲】
【請求項１】
測定対象領域を含む所定の制御対象領域を複数の領域に分割する手段と、
分割された前記複数の領域よりなる分割領域群の中から１以上の分割領域を指定領域として指定する指定手段と、
前記指定領域を含む２以上の連続して並ぶ分割領域群を所定の物理量が測定される測定領域として決定する決定手段と、
前記測定対象領域内の複数の分割領域のうち前記測定領域と該測定領域以外の非測定領域とを所定の表示画面の表示領域内に区別可能に表示する表示制御手段と、
ユーザによる前記測定領域の変更操作を受付ける操作受付手段と、
を備え、
前記表示制御手段は、
前記測定対象領域内の複数の分割領域の各々を前記変更操作に基づいて前記測定領域又は前記非測定領域に表示制御することにより、該測定対象領域内における前記測定領域の位置を該変更操作に応じた位置に移動させる、
表示装置。
【請求項２】
前記指定領域は、前記分割領域群の中から指定された、１以上の連続して並ぶ分割領域である、
請求項１に記載の表示装置。
【請求項３】
前記指定手段は、前記指定領域を、前記測定対象領域内の複数の分割領域の中から指定する、
請求項１または請求項２に記載の表示装置。
【請求項４】
前記表示制御手段は、前記測定対象領域内の前記測定領域のうち前記指定領域と該指定領域以外の領域とを区別可能に表示する、
請求項１から請求項３のいずれか一項に記載の表示装置。
【請求項５】
前記決定手段は、前記測定対象領域内の複数の分割領域の中の所定の領域が、前記指定領域でなく、かつ、前記指定領域と互いに隣り合う領域でない場合に、該所定の領域を前記非測定領域として決定する、
請求項１から請求項４のいずれか一項に記載の表示装置。
【請求項６】
前記分割手段は、前記制御対象領域を格子状に分割する、
請求項１から請求項５のいずれか一項に記載の表示装置。
【請求項７】
前記所定の物理量は、所定の測定装置から測定対象物までの距離である、
請求項１から請求項６のいずれか一項に記載の表示装置。
【請求項８】
撮影画像を生成する撮影装置を更に備え、
前記表示領域内の位置は、前記撮影画像内の位置と対応しており、
前記所定の物理量は、前記表示画面に表示される前記測定領域内の複数の分割領域とそれぞれ対応する前記撮影画像内の領域のコントラストである、
請求項１から請求項６のいずれか一項に記載の表示装置。
【請求項９】
撮影画像を生成する撮影装置を更に備え、
前記表示領域内の位置は、前記撮影画像内の位置と対応しており、
前記所定の物理量は、前記表示画面に表示される前記測定領域内の複数の分割領域とそれぞれ対応する前記撮影画像内の領域の画像の明るさである、
請求項１から請求項６のいずれか一項に記載の表示装置。
【請求項１０】
測定対象物の物理量を測定可能な測定装置において、
所定の情報を表示する表示手段と、
ユーザによる操作を受付ける操作受付手段と、
前記操作に応じて、前記表示される所定の情報を制御する表示制御手段と、
を備え、
前記所定の情報は、前記物理量が測定される測定対象領域を含み、
前記測定対象領域は、該測定対象領域内に、該測定対象領域と面積が同等もしくはそれよりも小さい測定領域が存在し、
前記測定領域の面積が前記測定対象領域の面積と同等な場合、該測定領域内に、該測定領域の面積よりも小さい指定領域が存在し、
前記測定領域の面積が前記測定対象領域の面積よりも小さい場合、該測定領域内に、該測定領域と面積が同等もしくはそれよりも小さい指定領域が存在し、
前記表示制御手段は、前記操作に応じて前記指定領域を所定の移動範囲内で移動するよう表示する、
測定装置。
【請求項１１】
測定対象物の物理量を測定可能な測定装置において、
所定の情報を表示する表示手段と、
ユーザによる操作を受付ける操作受付手段と、
前記操作に応じて、前記表示される所定の情報を制御する表示制御手段と、
を備え、
前記所定の情報は、前記物理量が測定される測定対象領域を含み、
前記測定対象領域は、該測定対象領域内に、該測定対象領域と面積が同等もしくはそれよりも小さい測定領域が存在し、
前記測定領域の面積が前記測定対象領域の面積と同等な場合、該測定領域内に、該測定領域の面積よりも小さい指定領域が存在し、
前記測定領域の面積が前記測定対象領域の面積よりも小さい場合、該測定領域内に、該測定領域と面積が同等もしくはそれよりも小さい指定領域が存在し、
前記表示制御手段は、前記操作に応じて前記測定領域を所定の移動範囲内で移動するよう表示する、
測定装置。
【発明の詳細な説明】
【技術分野】
【０００１】
本発明は、表示装置および表示装置を備える測定装置に関する。
【背景技術】
【０００２】
対象物までの距離を自動で測定する測距装置を備えた撮影装置が提案されている。このような撮影装置では、測距装置によって対象物までの距離を測定し、測定した距離に応じてカメラのレンズの焦点距離を変更することで、ピントの合った撮影画像を取得することができる。また、特許文献１には、撮影画角内の領域のうち、測距を行う領域を変更可能な撮影装置が開示されている。
【０００３】
特許文献１に記載の撮影装置では、撮影画角内に、測距可能な領域が複数個設けられている。そして、撮影画角内における被写体の大きさが変化する場合に、被写体の大きさに合わせて、測距を行う領域の数を変化させるように構成されている。また、特許文献１に記載の撮影装置では、撮影装置は撮影画像を表示する表示装置を備え、表示装置は撮影画像とともに、複数の測距を行う領域が表示されるよう構成されている。
【先行技術文献】
【特許文献】
【０００４】
【特許文献１】特開２０１０−１４８８３号公報
【発明の概要】
【発明が解決しようとする課題】
【０００５】
特許文献１に記載の撮影装置では、撮影画角内に測距などの物理量の測定を行う領域が複数個あるとき、ユーザは、複数個の領域の内のどの領域で物理量の測定が行われるのかが分からなかった。
【０００６】
本発明は上記の事情に鑑みてなされたものであり、測定が行われる領域が分かりやすい表示装置および表示装置を備える測定装置を提供することを目的とする。
【課題を解決するための手段】
【０００７】
本発明の実施形態に係る表示装置は、測定対象領域を含む所定の制御対象領域を複数の領域に分割する手段と、分割された複数の領域よりなる分割領域群の中から１以上の分割領域を指定領域として指定する指定手段と、指定領域を含む２以上の連続して並ぶ分割領域群を所定の物理量が測定される測定領域として決定する決定手段と、測定対象領域内の複数の分割領域のうち測定領域と測定領域以外の非測定領域とを所定の表示画面の表示領域内に区別可能に表示する表示制御手段と、ユーザによる測定領域の変更操作を受付ける操作受付手段と、を備え、表示制御手段は、測定対象領域内の複数の分割領域の各々を変更操作に基づいて測定領域又は非測定領域に表示制御することにより、測定対象領域内における測定領域の位置を変更操作に応じた位置に移動させるよう構成されている。
【０００８】
このような構成によれば、複数の測定領域に対して測定装置による物理量の測定が行われるため、測定精度を高くすることができる。また、表示領域には複数の測定領域が、非測定領域と区別可能に表示されているため、ユーザはどの表示画面のうち、どの領域で測定されているかを視認することができる。
【０００９】
指定領域は、分割領域群の中から指定された、１以上の連続して並ぶ分割領域としてもよい。
【００１０】
指定手段は、指定領域を、測定対象領域内の複数の分割領域の中から指定してもよい。
【００１１】
このような構成によれば、指定手段によって指定された指定領域は、表示画面に表示されるため、ユーザは表示画面を見ることで指定領域の位置を視認することができる。
【００１２】
表示制御手段は、測定対象領域内の測定領域のうち指定領域と指定領域以外の領域とを区別可能に表示してもよい。
【００１３】
決定手段は、測定対象領域内の複数の分割領域の中の所定の領域が、指定領域でなく、かつ、指定領域と互いに隣り合う領域でない場合に、所定の領域を非測定領域として決定してもよい。
【００１４】
分割手段は、制御対象領域を格子状に分割してもよい。
【００１５】
所定の物理量は、所定の測定装置から測定対象物までの距離であってもよい。
【００１６】
表示装置は、撮影画像を生成する撮影装置を更に備え、表示領域内の位置は、撮影画像内の位置と対応しており、所定の物理量は、表示画面に表示される測定領域内の複数の分割領域とそれぞれ対応する撮影画像内の領域のコントラストであってもよい。
【００１７】
表示装置は、撮影画像を生成する撮影装置を更に備え、表示領域内の位置は、撮影画像内の位置と対応しており、所定の物理量は、表示画面に表示される測定領域内の複数の分割領域とそれぞれ対応する撮影画像内の領域の明るさであってもよい。
【００１８】
本発明の実施形態に係る測定装置は、測定対象物の物理量を測定可能な測定装置であって、所定の情報を表示する表示手段と、ユーザによる操作を受付ける操作受付手段と、操作に応じて、表示される所定の情報を制御する表示制御手段と、を備え、所定の情報は、物理量が測定される測定対象領域を含み、測定対象領域は、測定対象領域内に、測定対象領域と面積が同等もしくはそれよりも小さい測定領域が存在し、測定領域の面積が測定対象領域の面積と同等な場合、測定領域内に、測定領域の面積よりも小さい指定領域が存在し、測定領域の面積が測定対象領域の面積よりも小さい場合、測定領域内に、測定領域と面積が同等もしくはそれよりも小さい指定領域が存在し、表示制御手段は、操作に応じて指定領域を所定の移動範囲内で移動するように表示する。
【００１９】
本発明の実施形態に係る測定装置は、測定対象物の物理量を測定可能な測定装置であって、所定の情報を表示する表示手段と、ユーザによる操作を受付ける操作受付手段と、操作に応じて、表示される所定の情報を制御する表示制御手段と、を備え、所定の情報は、物理量が測定される測定対象領域を含み、測定対象領域は、測定対象領域内に、測定対象領域と面積が同等もしくはそれよりも小さい測定領域が存在し、測定領域の面積が測定対象領域の面積と同等な場合、測定領域内に、測定領域の面積よりも小さい指定領域が存在し、測定領域の面積が測定対象領域の面積よりも小さい場合、測定領域内に、測定領域と面積が同等もしくはそれよりも小さい指定領域が存在し、表示制御手段は、操作に応じて測定領域を所定の移動範囲内で移動するように表示する。
【発明の効果】
【００２０】
本実施形態によれば、測定が行われる領域が分かりやすい表示装置および表示装置を備える測定装置が提供される。
【図面の簡単な説明】
【００２１】
【図１】図１は、本発明の実施形態の撮影装置の斜視図および背面図である。
【図２】図２は、本発明の実施形態の撮影装置の構成を示すブロック図である。
【図３】図３は、本発明の実施形態の撮影装置の背面図である。
【図４】図４は、本発明の実施形態の領域選択画面の遷移例である。
【図５】図５は、本発明の実施形態の選択領域を説明するための図である。
【図６】図６は、本発明の実施形態の領域選択画面の遷移の他の例である。
【図７】図７は、本発明の実施形態の領域選択画面の遷移の他の例である。
【図８】図８は、本発明の実施形態の領域選択画面の遷移の他の例である。
【発明を実施するための形態】
【００２２】
以下、本発明の実施形態の表示装置について図面を参照しながら説明する。以下においては、本発明の一実施形態として、表示装置を搭載するデジタル一眼レフカメラについて説明する。なお、表示装置が搭載される電気機器は、デジタル一眼レフカメラに限らず、例えば、ミラーレス一眼カメラ、コンパクトデジタルカメラ、カムコーダ、タブレット端末、ＰＨＳ（Personal Handy phone System）、スマートフォン、フィーチャフォン、携帯ゲーム機、デスクトップＰＣ（Personal Computer）、ノートＰＣなど、画像の表示を制御可能な別の形態の電子機器に置き換えてもよい。
【００２３】
図１（ａ）および（ｂ）は、それぞれ本実施形態のデジタル一眼レフカメラ（以下、便宜上、単に「撮影装置」と記す。）３０１の斜視図および背面図である。撮影装置３０１は、正面側にレンズや絞りが設けられており（図１では不図示）、背面側にＬＣＤ１２４が設けられている。撮影装置３０１の筐体には、複数の操作部１０２が適宜配置されている。撮影装置３０１の内部には、撮影装置３０１を駆動するための電気回路や記憶領域が設けられている。
【００２４】
図２は、撮影装置３０１の構成を示すブロック図である。図２に示されるように、撮影装置３０１は、ＣＰＵ（Central Processing Unit）１００、操作部１０２、駆動回路１０４、撮影レンズ１０６、レンズ駆動部１０７、絞り１０８、シャッタ１１０、イメージセンサ１１２、信号処理回路１１４、画像処理エンジン１１６、バッファメモリ１１８、カード用インタフェース１２０、ＬＣＤ（Liquid Crystal Display）制御回路１２２、ＬＣＤ１２４、ＲＯＭ（Read Only Memory）１２６及び外部接続インタフェース１２８を備えている。
【００２５】
操作部１０２には、電源スイッチやレリーズスイッチ、撮影モードスイッチなど、ユーザが撮影装置３０１を操作するために必要な各種スイッチが含まれる。ユーザにより電源スイッチが押されると、図示省略されたバッテリから撮影装置３０１の各種回路に電源ラインを通じて電源供給が行われる。ＣＰＵ１００は電源供給後、ＲＯＭ１２６にアクセスして制御プログラムを読み出してワークエリア（不図示）にロードし、ロードされた制御プログラムを実行することにより、撮影装置３０１全体の制御を行う。
【００２６】
ＣＰＵ１００は、撮影装置３０１に内蔵されたＴＴＬ（Through The Lens）露出計（不図示）で測定された測光値に基づき適正露出が得られるように、駆動回路１０４を介して絞り１０８及びシャッタ１１０を駆動制御する。より詳細には、絞り１０８及びシャッタ１１０の駆動制御は、プログラムＡＥ（Automatic Exposure）、シャッタ速度優先ＡＥ、絞り優先ＡＥなど、撮影モードスイッチにより指定されるＡＥ機能に基づいて行われる。また、レンズ駆動部１０７の駆動制御（以下、ＡＦ制御）は、ＡＦ（Autofocus）機能に基づいて行われる。ＡＦ制御には、アクティブ方式、位相差検出方式、コントラスト検出方式等が適用される。ＡＦ制御が行われると、駆動回路１０４を介してレンズ駆動部１０７が駆動制御される。これにより撮影レンズ１０６が変位され、被写体にピントが合わせられる。
【００２７】
被写体からの光束は、撮影レンズ１０６、絞り１０８、シャッタ１１０を通過してイメージセンサ１１２により受光される。イメージセンサ１１２は、例えばＣＣＤ（Charge Coupled Device）イメージセンサやＣＭＯＳ（Complementary Metal Oxide Semiconductor）イメージセンサであり、撮像面上の各画素で結像した光学像を光量に応じた電荷として蓄積して電気信号に変換し、信号処理回路１１４に出力する。信号処理回路１１４は、イメージセンサ１１２より入力される電気信号（撮影データ）に対して所定の信号処理を施して、画像処理エンジン１１６に出力する。
【００２８】
画像処理エンジン１１６は、信号処理回路１１４より入力される信号に対して色補間、マトリクス演算、Ｙ／Ｃ分離等の所定の信号処理を施して輝度信号Ｙ、色差信号Ｃｂ、Ｃｒを生成し、ＪＰＥＧ（Joint Photographic Experts Group）等の所定のフォーマットで圧縮する。バッファメモリ１１８は、画像処理エンジン１１６による処理の実行時、処理データの一時的な保存場所として用いられる。
【００２９】
カード用インタフェース１２０のカードスロットには、メモリカード２００が着脱可能に差し込まれている。
【００３０】
画像処理エンジン１１６は、カード用インタフェース１２０を介してメモリカード２００と通信可能である。画像処理エンジン１１６は、生成された圧縮画像信号（撮影画像データ）をメモリカード２００（又は撮影装置３０１に備えられる不図示の内蔵メモリ）に保存する。
【００３１】
また、画像処理エンジン１１６は、Ｙ／Ｃ分離後の信号に所定の信号処理を施して、フレームメモリ（不図示）にフレーム単位でバッファリングする。画像処理エンジン１１６は、バッファリングされた信号を所定のタイミングで各フレームメモリから掃き出して所定のフォーマットのビデオ信号に変換し、ＬＣＤ制御回路１２２に出力する。ＬＣＤ制御回路１２２は、画像処理エンジン１１６より入力される画像信号を基に液晶を変調制御する。これにより、被写体の撮影画像がＬＣＤ１２４に表示される。ここで、ＬＣＤ１２４に表示される撮影画像は、撮影装置３０１の撮影画角に対応している。ユーザは、ＡＥ制御及びＡＦ制御に基づいて適正な輝度及びピントで撮影されたリアルタイムのスルー画を、ＬＣＤ１２４を通じて視認することができる。ここで、ＡＥ制御及びＡＦ制御は、ＬＣＤ１２４に表示されるスルー画のうち、特定の領域の撮影画像を用いて行われる。ＡＥ制御及びＡＦ制御を行う領域の選択方法については後述する。
【００３２】
画像処理エンジン１１６は、ユーザにより撮影画像の再生操作が行われると、操作により指定された撮影画像データをメモリカード２００又は内蔵メモリより読み出して所定のフォーマットの画像信号に変換し、ＬＣＤ制御回路１２２に出力する。ＬＣＤ制御回路１２２が画像処理エンジン１１６より入力される画像信号を基に液晶を変調制御することで、被写体の撮影画像がＬＣＤ１２４に表示される。また、画像処理エンジンは、ＬＣＤ１２４に後述する領域選択画面を表示するための画像信号を生成する。
【００３３】
外部接続インタフェース１２８は、外部表示装置３０２と接続するためのインタフェースである。外部表示装置３０２は、表示画面２０２を備える電子機器であり、例えば、デジタル一眼レフカメラ、ミラーレス一眼カメラ、コンパクトデジタルカメラ、カムコーダ、タブレット端末、ＰＨＳ、スマートフォン、フィーチャフォン、携帯ゲーム機、デスクトップＰＣ、ノートＰＣ、テレビモニタである。
【００３４】
外部接続インタフェース１２８は、ＨＤＭＩ（登録商標）、ＵＳＢ（Universal Serial Bus）等の有線接続プロトコルや、Ｗｉ−Ｆｉ（登録商標）、Ｂｌｕｅｔｏｏｔｈ（登録商標）、ＩｒＤＡ（登録商標）等の無線接続プロトコルを用いてデスクトップＰＣ等と通信可能である。撮影画像データは、外部接続インタフェース１２８を介して外部表示装置３０２へ転送される。外部表示装置３０２は、転送された撮影画像データをローカル又はネットワーク上のＵＲＩ（Uniform Resource Identifier）に保存する。外部表示装置３０２は、例えば、ユーザによる操作に従い、ローカル又はネットワーク上のＵＲＩに保存された撮影画像データをデコードし、デコードにより得られた撮影画像を表示画面２０２に表示する。
【００３５】
また、外部表示装置３０２の表示画面２０２には、例えば、ＬＣＤ１２４と同期した内容（静止画やスルー画）が表示される。一例として、ユーザにより撮影画像（静止画）の再生操作が行われた場合を考える。この場合、画像処理エンジン１１６は、操作により指定された撮影画像（静止画）をＬＣＤ１２４に表示すると共に外部接続インタフェース１２８を介して外部表示装置３０２へ転送し、ＬＣＤ１２４に表示されている撮影画像と同一のものを表示画面２０２に表示させる。
【００３６】
外部接続インタフェース１２８は、テレビモニタと接続されている場合、撮影画像のコンポーネント映像信号等を出力する。テレビモニタには、ＬＣＤ１２４と同期した内容（静止画やスルー画）が表示される。
【００３７】
なお、オーバレイテキスト等の付加情報については、ユーザによる操作部１０２の設定や表示内容に応じて同期又は非同期に表示される。
【００３８】
また、操作部１０２が操作され、撮影装置３０１のステーテス画面が呼び出されると、ＬＣＤ１２４には、撮影画像の代わりに、撮影装置３０１のステータス画面が表示される。ステータス画面には、ＡＥ制御やＡＦ制御に必要なパラメータや、撮影モードやシャッタ速度、絞り、ＩＳＯ感度、記録形式や撮影可能枚数など、撮影装置３０１のステータス情報が表示される。このステータス画面を用いて、ユーザはステータスの確認や変更操作などを行う。
【００３９】
ＬＣＤ１２４に静止画やスルー画などの撮影画像を表示させるか、あるいは、ステータス画面を表示させるかは、操作部１０２の操作によって切り替えることができる。また、ＬＣＤ１２４は、撮影装置３０１の電源が入れられた時に、始めにスルー画が表示されるように設定されていてもよく、始めに何を表示させるかを、ユーザによって選択できるように構成されていてもよい。
【００４０】
また、ＬＣＤ１２４は、ユーザが指やスタイラスペンによって入力操作が可能なタッチパネルであってもよい。ＬＣＤ１２４がタッチパネルである場合、タッチパネルへの入力操作が、操作部１０２への操作と同一の機能を持つものであってもよい。以下では、操作部１０２の操作することで撮影装置３０１の動作を制御するとして説明するが、この制御の一部または全ては、タッチパネルへの入力操作により実行されてもよい。
【００４１】
次に撮影装置３０１によるＡＥ制御またはＡＦ制御に用いる領域の選択方法について説明する。上述のように、ＡＥ制御またはＡＦ制御に用いる領域の設定は、ＬＣＤ１２４に表示されるステータス画面を用いて行われる。
【００４２】
図３に、簡素化した撮影装置３０１の背面図を示す。撮影装置３０１の背面には、ＬＣＤ１２４および操作部１０２の一部である複数のボタン３０が設けられている。この複数のボタン３０には、撮影装置３０１の上下左右方向に対応するように設けられた、４つのボタン３０Ｕ、３０Ｄ、３０Ｌ、３０Ｒが含まれる。ＬＣＤ１２４の表示領域１２５には、ユーザによる操作部１０２の操作によって、ステータス画面内にＡＥ制御またはＡＦ制御を行う領域を選択するための領域選択画面３２を表示させることができる。図３においては、表示領域１２５に領域選択画面３２のみが表示されているが、本発明はこれに限定されない。ステータス画面内には、領域選択画面３２と共に、その他の撮影装置のステータスの設定項目あるいは設定情報が表示されていてもよい。また、操作部１０２の操作により、ＬＣＤ１２４にスルー画とステータス画面とを択一的に表示してもよい。更に、領域選択画面３２は、スルー画が表示される領域とは異なる領域に表示されていてもよく、あるいは、ＬＣＤ１２４に表示されるスルー画に重畳するように同時に表示してもよく、あるいは、領域選択画面３２をＬＣＤ１２４に表示されるスルー画の一部の領域に表示してもよい。
【００４３】
操作部１０２が操作され、領域選択画面３２が呼び出されると、ＬＣＤ１２４の表示領域１２５に複数の分割領域３４が表示される。図３に示す例では、正方形を形作るように配置された５個×５個の２５個の分割領域３４Ａと、左右方向に飛び出すように配置された２個の分割領域３４Ｂが表示されている。なお、分割領域３４の数や配置は、撮影装置３０１が有するＡＥ制御やＡＦ制御に用いる測定を行う測定装置の仕様や、ユーザの操作性などにあわせて適宜変更可能である。ただし、分割領域３４の数や配置によらず、領域選択画面３２内における各分割領域３４の位置は、スルー画内における領域の位置と対応している。
【００４４】
ユーザは、領域選択画面３２を見ながら、複数の分割領域３４の中から、ＡＥ制御またはＡＦ制御に用いる領域を選択することができる。以下では、分割領域３４のうち、ＡＥ制御またはＡＦ制御に用いる領域を選択領域、それ以外の領域を非選択領域として説明する。
【００４５】
図４に、領域選択画面３２の遷移例を示す。領域選択画面３２には、分割領域３４よりも領域数の少ない、すなわち、面積の小さい選択領域３６と、選択領域３６以外の非選択領域３８とが区別可能に表示されており、ユーザは、どの分割領域３４が選択領域３６または非選択領域３８となっているかを視覚的に知ることができる。なお、図４では、選択領域３６を黒塗り、非選択領域３８を白抜きで示されているが、本発明はこれに限定されない。本発明における領域選択画面３２では、選択領域３６と非選択領域３８とが区別可能に表示されていれば良く、両者が色、色の濃さ、大きさなどが異なるように表示されていてもよい。
【００４６】
選択領域３６は、ＡＥ制御またはＡＦ制御に用いる領域を表している。例えば、領域選択画面３２が図４の画面１３Ａの場合、領域選択画面３２の中心付近の９つの領域が選択領域３６として選択されており、これらの領域を用いた測定に基づいてＡＥ制御またはＡＦ制御が行われる。上述したように、領域選択画面３２内の位置は、スルー画内の位置と対応しているため、中心部の９つの領域の位置に対応するスルー画内の領域をＡＥ制御またはＡＦ制御に用いる。
【００４７】
領域選択画面３２が画面１３Ａのときに、操作部１０２に対してＡＦ制御を指示する入力を行うと、複数の選択領域３６のそれぞれの位置に対応するスルー画内の領域を用いてＡＦ制御に必要な測定が行われる。この測定では、上述のアクティブ方式や位相差検出方式、コントラスト検出方式を用いて、それぞれの画像に対してピントの合う条件が探索される。ここで、アクティブ方式や位相差方式では対象物までの測距を行い、測距結果に基づいてピントの合う条件を決定する。また、コントラスト方式では画像のコントラストを測定し、コントラストに基づいてピントの合う条件を決定する。なお、これらのＡＦ制御の方式については周知であるため、ここでの詳細な説明は省略する。
【００４８】
選択領域３６の位置に対応するスルー画内の９つの領域について、それぞれ測距またはコントラストの測定が行われ、ピントが合う条件が決定されると、これらの９つの領域のうち最も測定誤差の少ない測定結果に基づいてＡＦ制御が実行される。この時、ＬＣＤ１２４には、選択領域３６の位置に対応するスルー画内の領域にピントの合ったスルー画が表示される。ここで、ユーザが操作部に対して撮影を指示する入力を行うと、選択領域３６の位置に対応するスルー画内の領域にピントの合った画像が撮影される。
【００４９】
なお、上記の説明では、複数の領域のうち最も測定誤差の少ない測定結果に基づいてピントが調整されるとしたが、本発明はこれに限定されない。本発明の他の実施形態によれば、複数の測定結果の平均値に基づいて、ピントを調整してもよい。あるいは、測定誤差が所定値より大きい場合は、その領域の測定結果は、ピントの調整に用いないように構成されていてもよい。
【００５０】
このように、複数の選択領域３６の位置に対応するスルー画内の領域を用いて、ＡＦ制御を行うための測距やコントラストなどの測定を行うことにより、測定誤差が大きく、正しい測定が行われなくなってしまうことを防ぐことができる。また、スルー画内のうちの測定に用いられる領域が、領域選択画面３２に示されているため、ユーザは、どの領域を用いて測定が行われているかを視認することができる。これにより、ユーザが意図しない領域で測定が行われる事を防ぐことができる。
【００５１】
また、領域選択画面３２が画面１３Ａのときに、操作部１０２に対してＡＥ制御を指示する入力を行うと、選択領域３６の位置に対応するスルー画内の９つの領域について、それぞれ測光が行われる。そして、測定された９つの領域の明るさの平均値を用いてＡＥ制御が行われる。なお、ＡＥ制御に用いる明るさは、各領域の明るさの平均値に限定されない。本発明の他の実施形態によれば、ＡＥ制御に用いる明るさは、測定した明るさの最大値または最小値を用いてもよい。
【００５２】
このように、本発明の実施形態によれば、複数の選択領域３６に対応するスルー画内の領域を用いて測定が行われるため、測定誤差の少ない測定結果を得られ易い。そのため、測定結果に基づいてＡＦ制御を行う場合は、ピントのあった撮影画像を得ることができ、測定結果に基づいてＡＥ制御を行う場合は、露出が適正な撮影画像を得ることができる。
【００５３】
次に、図４を用いて、領域選択画面３２の遷移について説明する。前述のように、選択領域３６は分割領域３４よりも領域数が少ない、すなわち、面積が小さいため、分割領域３４内のどの領域を選択領域３６と設定するかについて複数の選択肢がある。図４は、選択領域３６として設定する領域を変化させる遷移例を示したものである。操作部１０２は、選択領域３６の変更操作を入力するための入力部を備えている。以下では、図３に示す４つの上下左右のボタン３０を操作して、領域選択画面３２を遷移させる場合について説明する。また、図４には、説明のため、上下左右の軸を記載しており、この上下左右の軸は、４つの上下左右のボタン３０を押圧することに対応している。
【００５４】
操作部１０２の操作によって撮影装置３０１の電源が入れられ、領域選択画面３２が呼び出されると、まず、図４に示す画面１３Ａが表示される。上下左右のボタン３０を押圧すると、画面１３Ａから他の画面に遷移する。図４では、ボタン３０の押圧方法と、押圧による遷移方向を矢印で示している。上下左右のいずれかを向いている矢印は、それぞれ、上下左右のボタン３０を押すことに対応する。また、右上、左上、右下、左下のいずれかを向いている矢印は、それぞれ、右と上、左と上、右と下、左と下のボタン３０を２つ同時に押すことに対応している。また、図４において、矢印が示されていない方向のボタン３０を押した場合は、領域選択画面３２の遷移は行われない。
【００５５】
また、実線の矢印で示す方向への遷移は、ボタン３０を短押しするか、または、長押しするかによって、遷移の仕方が異なる。ここで、短押しとは、ボタン３０を所定の時間よりも短い時間（例えば、０．５秒未満）押すことを意味し、長押しとは、ボタン３０を所定の時間以上の時間（例えば、０．５秒以上）押すことを意味する。ここで、所定の時間は、ユーザの使いやすさに合わせて適宜設定される。
【００５６】
ボタン３０を短押しすると、実線の矢印が示す方向に向かって領域選択画面３２が一つ遷移する。例えば、領域選択画面３２が画面９Ａのときに、下と左のいずれかのボタン３０を短押しすると、領域選択画面３２は、それぞれ、画面１４Ａ、画面８Ａに遷移する。また、左と下、右と下のボタン３０を２つ同時に短押しすると、領域選択画面３２は、それぞれ、画面１３Ａ、画面１５Ａに遷移する。
【００５７】
一方、ボタン３０を長押しすると、領域選択画面３２は、実線の矢印が示す方向に向かって、それ以上画面が遷移できなくなるまで順次遷移する。例えば、領域選択画面３２が画面９Ａのときに、下ボタン３０Ｄを長押しすると、領域選択画面３２は、画面１４Ａ、画面１９Ａと順次遷移する。また、左のボタン３０Ｌを長押しすると、領域選択画面３２は、画面８Ａ、画面７Ａと順次遷移する。また、左と下のボタン３０を２つ同時に長押しすると、領域選択画面３２は、画面１３Ａ、画面１７Ａと順次遷移する。また、右と下のボタン３０を２つ同時に長押しすると、領域選択画面３２は、画面１５Ａに遷移する。
【００５８】
なお、本発明の他の実施形態によれば、ボタン３０を長押しすると、領域選択画面３２は、実線の矢印が示す方向に向かって、途中の領域選択画面３２を飛ばして遷移するように構成されていてもよい。例えば、領域選択画面３２が画面９Ａのときに、下ボタン３０Ｄを長押しすると、領域選択画面３２は、画面１４Ａには遷移せず、直接画面１９Ａに遷移する。
【００５９】
また、点線の矢印は、短押ししたときのみに遷移することを示す。例えば、領域選択画面３２が画面９Ａのときに、右ボタン３０Ｒを短押しすると領域選択画面３２は画面１５Ａに遷移するが、右ボタン３０Ｒを長押ししても遷移は行われない。
【００６０】
また、分割領域３４には、左右に飛び出すように配置された分割領域３４Ｂを有していることに起因して、上下左右のボタン３０の操作と、領域選択画面３２の遷移方向とが一致していない場合がある。例えば、領域選択画面３２が画面１５Ａのときに、上と下のいずれかのボタン３０を短押しまたは長押しすると、領域選択画面３２は、それぞれ、画面９Ａ、画面１９Ａに遷移する。このように、上または下のボタン３０を押した場合に、領域選択画面３２を斜め方向に遷移させることで、ユーザにとっての操作性を向上することができる。
【００６１】
このように、ユーザが操作部１０２（ボタン３０）を操作することにより、領域選択画面３２の遷移を指示すると、ＣＰＵ１００は、操作に応じて分割領域３４のうちどの領域を選択領域３６とするかを変更することで、分割領域３４内の選択領域３６の位置を変更する。選択領域３６の変化の仕方は、図４に示す遷移方向に対応している。画面１３Ａでは、中心部の正方形状の９つの分割領域３４が選択領域３６である。ここで、画面１３Ａから上下左右、あるいは、斜め方向に領域選択画面３２が１つ遷移すると、選択領域３６は正方形状を維持したまま領域１つ分だけシフトする。このように、領域選択画面３２の遷移に合わせて、選択領域３６は、その形を維持したままシフトする。
【００６２】
ただし、領域選択画面３２を画面１１Ａまたは画面１５Ａに遷移させると、正方形状の９つの選択領域３６のうち、隅の２つの分割領域３４が表示されなくなる。これにより、選択領域３６は９個から７個に減少する。これは、分割領域３４が直方体状（正方形状）に配置しておらず、正方形を５×５に分割した２５個の分割領域３４Ａと、左右に一つずつ飛び出すように配置された２個の分割領域３４Ｂとから構成されているため、左右の端では、選択領域３６が正方形状を維持できないためである。
【００６３】
この領域選択画面３２の遷移に伴う選択領域３６の数の減少は、仮想的な領域を用いて説明することができる。図５（ａ）および（ｂ）は、それぞれ図４における画面１４Ａおよび画面１５Ａに対応する仮想領域４０を示したものである。図５において、実線で示された領域４０Ａおよび点線で示された領域４０Ｂは、いずれも仮想領域４０である。また、仮想領域４０のうち、実線で示された領域４０Ａが、分割領域３４としてＬＣＤ１２４の表示領域１２５に表示される。また、点線で示された領域４０Ｂは、選択領域３６を決定するために用いるものであり、表示領域１２５には表示されない。また、点線で示された領域４０Ｂの位置に対応するスルー画の領域を用いたＡＥ制御やＡＦ制御のための測定も行われない。
【００６４】
図５の画面１４Ａでは、正方形状に配置された９つの選択領域３６は、いずれも実線で示される領域４０Ａに収まっている。ここで、領域選択画面３２が画面１４Ａから画面１５Ａへ遷移すると、９つの選択領域３６は、正方形状を保ったまま仮想領域４０上を領域一つ分だけ右側へシフトする。すると、９つの選択領域３６のうち、右上および右下の領域は、領域４０Ａから領域４０Ｂに変化する。その結果、表示領域１２５には、仮想領域４０上の９つの選択領域３６のうち、領域４０Ａ上にある７つの選択領域３６が表示される。
【００６５】
なお、上記の仮想領域４０は、領域選択画面３２の遷移に伴う選択領域３６の数の減少を説明するために用いたが、本発明の撮影装置３０１によれば、ＣＰＵ１００が、ユーザによる操作部１０２への入力および仮想領域４０を用いて表示領域１２５に表示する選択領域３６を決定してもよい。すなわち、ＣＰＵ１００は、内部に不図示の記憶領域を有しており、この記憶領域内にＣＰＵ１００による制御対象領域として仮想領域４０を設定して、表示領域１２５に表示すべき選択領域３６を決定する。なお、この仮想領域４０の大きさは、ＣＰＵ１００の制御方法に応じて適宜変更してもよい。
【００６６】
なお、分割領域３４の配置は、ＡＦ制御に必要な測距を行うセンサや、ＡＥ制御に必要な測光を行うセンサの構造に依存しており、使用するセンサに応じて、分割領域３４の配置の仕方は異なる。また、図３に示すような、左右に一つずつ飛び出した分割領域３４Ｂを測定領域と非測定領域とのどちらとするかは、センサの仕様や撮影装置３０１が備えるレンズ１６の仕様などによって適宜変更してもよい。例えば、レンズ１６の仕様によって、端の分割領域３４Ｂの測定結果に誤差が生じやすい場合は、分割領域３４Ｂを非選択領域３８としてもよい。
【００６７】
また、上記の説明では、領域選択画面３２を読み出すと、まず画面１３Ａが表示されるとして説明したが、本発明はこれに限定されない。例えば、前回に領域選択を行ったときの領域選択画面３２を、最初に表示してもよい。
【００６８】
次に、図６を用いて領域選択画面３２の遷移の他の例について説明する。
【００６９】
操作部１０２の操作によって撮影装置３０１の電源が入れられ、領域選択画面３２が呼び出されると、まず、図６に示す画面１３Ｂが表示される。撮影装置３０１は、上下左右のボタン３０を有しており、押圧するボタン３０やボタン３０の押圧時間と、矢印で示す領域選択画面３２の遷移方向との関係は、図４に示す領域選択画面３２と同じである。
【００７０】
ただし、図６に示す遷移例では、遷移可能な領域選択画面３２の数は、図４に示す遷移例よりも多い。また、図４に示す遷移例では、領域選択画面３２の遷移に応じて、分割領域３４が選択領域３６と非選択領域３８との間で切り替わったが、図６に示す遷移例では、重点領域４２とアシスト領域４４、非選択領域３８の３つの状態の間で切り替わる。
【００７１】
ここで、重点領域４２とアシスト領域４４、非選択領域３８は、図４に示す遷移例と同様に、仮想領域４０上において設定されていてもよい。重点領域４２とアシスト領域４４は、いずれも選択領域３６であり、重点領域４２は、選択領域よりも領域数が少なく、すなわち、面積が小さく設定されている。また、仮想領域４０上において、アシスト領域４４は、重点領域４２を１重に囲うように配置されている。重点領域４２とアシスト領域４４との違いについては後述する。図６に示す遷移例では、重点領域４２が黒塗り、アシスト領域４４が灰色、非選択領域３８が白抜きで示されており、ユーザは、どの分割領域３４が重点領域４２またはアシスト領域４４または非選択領域３８となっているかを視覚的に知ることができる。なお、重点領域４２、アシスト領域４４、非選択領域３８は、区別可能に表示されていれば良く、３つの領域の色、色の濃さ、大きさなどが異なるように表示されていてもよい。
【００７２】
領域選択画面３２が画面１３Ｂの場合、中心の分割領域３４が重点領域４２となり、重点領域４２を囲んでいる８つの領域がアシスト領域４４、それ以外の領域が非選択領域３８となる。ここで、上下左右のいずれのボタン３０を押すか、および、ボタン３０を短押しするか長押しするかによって領域選択画面３２が遷移する。
【００７３】
図４に示す遷移例では、領域選択画面３２が左右の端の画面１１Ｂまたは画面１５Ｂのとき以外は、９個の分割領域３４が選択領域３６であった。しかしながら、図６に示す遷移例では、領域選択画面３２が左右の端の画面２６Ｂまたは画面２７Ｂのとき以外においても、選択領域３６は９個から減少しうる。
【００７４】
例えば、領域選択画面３２が画面９Ｂのとき、右上の９つの分割領域３４が選択領域３６である。ここで、上と右のいずれかのボタン３０、あるいは、上と右のボタン３０を２つ同時に押圧すると、領域選択画面３２は、それぞれ、画面４Ｂ、画面１０Ｂ、画面５Ｂに遷移する。画面４Ｂ、画面１０Ｂ、画面５Ｂでは、選択領域３６がシフトすることによって、選択領域３６の数が、それぞれ６個、６個、４個に減少する。
【００７５】
ただし、図６に示す遷移例では、領域選択画面３２の遷移によってアシスト領域４４の数が変化するのに対し、重点領域４２は領域選択画面３２が遷移しても常に１つ存在している。
【００７６】
なお、画面６Ｂ、画面１０Ｂ、画面１６Ｂ、画面２０Ｂにおいて、分割領域３４のうち、左右に飛び出したように配置された分割領域３４Ｂは、非選択領域３８となっている。この分割領域３４Ｂを選択領域３６とするか非選択領域３８とするかは、センサの仕様や撮影装置３０１が備えるレンズの仕様などによって適宜変更してもよい。ただし、この端の領域１４Ｂが重点領域４２である場合（画面２７Ｂ、画面２６Ｂ）、または、端の領域が重点領域４２の隣の領域である場合（画面１１Ｂ、画面１５Ｂ）は、分割領域３４Ｂは選択領域３６とすることが望ましい。
【００７７】
次に、重点領域４２とアシスト領域４４との違いについて説明する。重点領域４２とアシスト領域４４はいずれも選択領域３６であり、ＡＦ制御やＡＥ制御のために測定を行う領域を示している。
【００７８】
例えば、領域選択画面３２が画面１３Ｂのときに、操作部１０２に対してＡＦ制御を指示する入力を行うと、まず、重点領域４２の位置に対応するスルー画内の領域を用いてＡＦ制御に必要な測定が行われる。この測定では、上述のアクティブ方式や位相差検出方式、コントラスト検出方式を用いて、重点領域４２に対応する画像に対してピントの合う条件が探索される。ここで、アクティブ方式や位相差方式では対象物までの測距を行い、測距結果に基づいてピントの合う条件を決定し、コントラスト方式では画像のコントラストを測定し、コントラストに基づいてピントの合う条件を決定する。
【００７９】
重点領域４２に対応する画像の測定結果が所定の測定誤差よりも小さい場合、この測定結果を用いてＡＦ制御が実行される。この時、ＬＣＤ１２４には、重点領域４２の位置に対応する領域にピントの合ったスルー画が表示される。ここで、ユーザが操作部１０２に対して撮影を指示する入力を行うと、選択領域３６の位置に対応する領域にピントの合った画像が撮影される。
【００８０】
一方、重点領域４２に対応する画像の測定結果が所定の測定誤差よりも大きい場合、複数のアシスト領域４４にそれぞれ対応するスルー画内の画像を用いて、ＡＦ制御に必要な測定が行われる。そして、複数のアシスト領域４４に対応する領域の画像において、もっとも測定誤差の少ない測定結果に基づいてＡＦ制御が実行される。
【００８１】
このように、選択領域３６として、重点領域４２とアシスト領域４４とが設定されている場合、重点領域４２の位置に対応するスルー画の領域が優先的に測定に用いられる。ここで、重点領域４２は、選択領域３６よりも領域が占める割合が小さいため、ユーザはどの領域で測定が行われているかをより詳細に知ることができる。また、重点領域４２の位置に対応するスルー画の領域での測定結果の誤差が大きい場合、重点領域４２の周りに配置されたアシスト領域４４の位置に対応するスルー画の領域での測定が行われるため、測定精度が低下してしまうのを抑制することができる。
【００８２】
なお、上記の説明では、重点領域４２の位置に対応するスルー画の領域の測定結果が所定の測定誤差よりも大きい場合に、アシスト領域４４の位置に対応するスルー画の領域の測定が行われるとしたが、本発明はこれに限定されない。本発明の他の実施形態によれば、重点領域４２とアシスト領域４４の両方の位置に対応するスルー画の領域の測定を同時に行い、重点領域４２の位置に対応するスルー画の領域像の測定結果が所定の測定誤差よりも大きい場合に、アシスト領域４４の位置に対応するスルー画の領域の測定結果を用いてＡＦ制御を行なうよう構成されていてもよい。また、重点領域４２の位置に対応するスルー画の領域の測定結果の寄与が大きくなるように、重点領域４２とアシスト領域４４の領域に対応するスルー画の領域の測定結果の重み付け平均を計算し、この平均値を用いてＡＦ制御を行うよう構成されていてもよい。
【００８３】
また、領域選択画面３２が画面１３Ｂのときに、操作部１０２に対してＡＥ制御を指示する入力を行うと、重点領域４２およびアシスト領域４４の位置に対応するスルー画の領域について、それぞれ測光が行われる。そして、重点領域４２の位置に対応するスルー画の領域の測光結果の寄与が大きくなるように、複数の測光結果の重み付け平均を計算し、この平均値を用いてＡＥ制御が行われる。
【００８４】
このように、複数の選択領域３６内に、重点領域４２とアシスト領域４４とを設定することにより、測定誤差の小さい測定結果を得られ易くすると共に、ＡＦ制御やＡＥ制御に、ユーザが重視する領域（重点領域４２）の測定結果を反映させ易くすることができる。また、重点領域４２とアシスト領域４４とは、それぞれ区別できるように表示されるため、ユーザはどの領域が重視している領域かを視認することができる。
【００８５】
次に、図７を用いて領域選択画面３２の遷移の他の例について説明する。
【００８６】
操作部１０２の操作によって撮影装置３０１の電源が入れられ、領域選択画面３２が呼び出されると、まず、図７に示す画面１３Ｃが表示される。撮影装置３０１は、上下左右のボタン３０を有しており、押圧するボタン３０やボタン３０の押圧時間と、矢印で示す領域選択画面３２の遷移方向との関係は、図６に示す領域選択画面３２と同じである。
【００８７】
ただし、図６に示す遷移例では、仮想領域４０上で、１つの重点領域４２の周りを１重に囲うように、最大８個のアシスト領域４４が存在したが、図７に示す遷移例では、仮想領域４０上で、１つの重点領域４２を２重に囲うように、最大２４個のアシスト領域４４が存在する。このように、図７に示す遷移例では、アシスト領域４４の数が多いため、アシスト領域４４の位置に対応するスルー画内の画像を用いた測定において、測定誤差の少ない測定結果を得られ易くすることができる。
【００８８】
領域選択画面３２が遷移すると、重点領域４２およびアシスト領域４４を含む選択領域３６が、分割領域３４内でシフトする。また、図６に示す遷移例と同様に、アシスト領域４４の数は、遷移した領域選択画面３２に応じて減少するが、重点領域４２は常に１つ存在する。
【００８９】
また、分割領域３４のうち、左右に飛び出したように配置された分割領域３４Ｂを選択領域３６とするか非選択領域３８とするかは、図６と同様にセンサの仕様や撮影装置３０１が備えるレンズの仕様などによって適宜変更してもよい。ただし、この端の領域が重点領域４２である場合（画面２７Ｃ、画面２６Ｃ）、または、端の領域が重点領域４２の隣の領域である場合（画面１１Ｃ、画面１５Ｃ）は、右端の領域は選択領域３６とすることが望ましい。
【００９０】
図７に示す遷移例を用いた、ＡＦ制御やＡＥ制御のために測定については、図６に示す遷移例を用いた場合と同様である。
【００９１】
次に、図８を用いて領域選択画面３２の遷移の他の例について説明する。
【００９２】
操作部１０２の操作によって撮影装置３０１の電源が入れられ、領域選択画面３２が呼び出すと、まず、図８に示す画面１３Ｄが表示される。撮影装置３０１は、上下左右のボタン３０を有しており、押圧するボタン３０やボタン３０の押圧時間と、矢印で示す領域選択画面３２の遷移方向との関係は、図７に示す領域選択画面３２と同じである。
【００９３】
ただし、図７に示す遷移例では、１つの重点領域４２の周りを２重に囲うように、最大２４個のアシスト領域４４が存在したが、図８に示す遷移例では、分割領域３４の内、１つの重点領域４２以外は、すべてアシスト領域４４となっている。すなわち、図８に示す遷移例では、全ての分割領域３４が選択領域３６であり、分割領域３４と選択領域３６の面積は同じである。
【００９４】
図８に示す遷移例では、選択領域３６内に、選択領域３６よりも領域数の少ない、すなわち、面積の小さい重点領域４２が設定されている。従って、重点領域４２を設定することで、ユーザが重視する領域を優先しつつ、全ての分割領域３４を選択領域として設定することで、図８以外に示す遷移例よりも、測定誤差の少ない測定結果を得られ易くすることができる。そのため、他ＡＦ制御やＡＥ制御を正しく行うことができずに、撮影が行われない、あるいは、撮影画像全体がピンボケとなる、あるいは、撮影画像が極端に明るいまたは暗い画像が得られてしまうといった問題が発生するのを更に抑制することができる。
【００９５】
特に、従来の技術として、選択領域３６が一つのみ選択される場合、この選択領域３６に対応する位置でのスルー画内の領域を用いた測定の測定誤差が大きいと、ＡＦ制御やＡＥ制御を正しく行うことができなかった。これにより、撮影が行われない、あるいは、撮影画像全体がピンボケとなる、あるいは、極端に明るいまたは暗い撮影画像が得られてしまう場合があった。それに対し、本発明によれば、この従来の技術のような問題が発生するのを抑制することができる。また、図８に示す遷移例のように、分割領域３４を全て選択領域３６とすることで、この従来の技術の問題を最大限まで抑えることができる。これにより、少なくとも一部の領域に対するピントあるいは露出が合った撮影画像が撮影されるため、シャッタチャンスを逃しにくくすることができる。
【００９６】
ここで、図８に示す分割領域３４の配置では、上下左右方向、あるいは、斜め４５度方向において、連続して並ぶ分割領域３４の数が最大となるのは、左端の分割領域３４Ｂから右端の分割領域３４Ｂまでの７個である。そのため、図８において、分割領域３４の内、１つの重点領域４２以外が、すべてアシスト領域４４となっていることは、仮想領域４０上で、１つの重点領域４２の周りを少なくとも６重に囲うように、アシスト領域４４が存在することと等価である。
【００９７】
また、図８に示す遷移例では、仮想領域４０を設定せずに重点領域４２とアシスト領域４４とを設定しても良い。すなわち、図８に示す遷移例のように領域選択画面３２の遷移を行う場合、ＣＰＵ１００は分割領域３４を全てアシスト領域４４として設定し、更に、複数のアシスト領域４４の一つを重点領域４２と設定しても良い。この場合、ユーザが操作部１０２（ボタン３０）を操作することにより、領域選択画面３２の遷移を指示すると、ＣＰＵ１００は、操作に応じて複数のアシスト領域４４のうち、どの領域を重点領域４２として設定するかを変更することで、分割領域３４内の重点領域４２の位置を変更する。
【００９８】
領域選択画面３２が遷移すると、重点領域４２の位置が分割領域３４内でシフトする。重点領域４２およびアシスト領域４４の数は、領域選択画面３２の遷移によらず常に一定で、重点領域４２が１個、アシスト領域４４が２６個である。
【００９９】
また、図８に示す遷移例では、分割領域３４のうち、左右に飛び出したように配置された領域は、常に選択領域３６となっている。ただし、この左右の領域は、図６や図７に示す遷移例のように、遷移に応じて非選択領域３８となるように設定してもよい。
【０１００】
以上、領域選択画面３２の複数の遷移例を、図４、図６、図７、図８を用いて説明したが、本発明にかかる撮影装置３０１は、これら複数の遷移例のうちの少なくともいずれか一つを用いて、領域選択画面３２の遷移が行われる。いずれの遷移例を用いるかは、ユーザが操作部１０２を操作することによって、適宜変更することができる。
【０１０１】
また、図４に示す遷移例では、仮想領域４０に、正方形状に配置された９個の選択領域３６を備えているが、本発明はこれに限定されない。選択領域３６は２個以上存在すればよく、選択領域３６の配置は正方形状に限定されない。
【０１０２】
また、図６〜図８に示す遷移例では、仮想領域４０で、１つの重点領域４２を、１重、２重、６重に囲うようにアシスト領域４４が配置されている場合について説明したが、本発明はこれらに限定されない。例えば、アシスト領域４４は、仮想領域４０上で、重点領域４２を３重や４重、５重に囲うように配置されていてもよい。
【０１０３】
また、図６〜図８に示す遷移例では、仮想領域４０で、重点領域４２は１つのみ設定されているが、本発明はこれに限定されない。例えば、重点領域４２は２つ以上設定されており、これらの複数の重点領域４２は仮想領域４０上、すなわち、表示領域１２５に表示される分割領域３４上で、隣り合うように並んで配置されていてもよい。重点領域４２が２つ以上あり、２つの重点領域４２の位置に対応するスルー画の領域の測定結果が、いずれも所定の測定誤差よりも小さい場合、２つの測定結果の内、測定誤差が小さい方の測定結果を用いてＡＥ制御またはＡＦ制御を行うことが望ましい。
【０１０４】
また、図６または図７に示す遷移例のように、分割領域１４内に、選択領域３６と非選択領域３８とが設定されている場合、全ての選択領域３６を重点領域４２としても良く、あるいは、全ての選択領域３６をアシスト領域４４としても良い。この場合、図４に示す遷移例の場合と同様に、選択領域３６内の各位置に対応するスルー画内の領域の測定結果のうち、測定誤差が小さい測定結果を用いてＡＥ制御やＡＦ制御を行うことが望ましい。
【０１０５】
また、本発明の実施形態では、各分割領域３４はそれぞれ正方形状（直方体状）として説明しており、また、図３に示すように、各分割領域３４間の境界が視認できるように配置されている。しかしながら、本発明はこの構成に限定されない。例えば、本発明の他の実施形態によれば、各分割領域３４は直方体状以外の多角形状であってもよく、各分割領域３４の外周の一部に曲線が含まれていても良い。また、本発明の他の実施形態によれば、分割領域３４は、図３に示すようにブロック状に配置されている必要は無く、各分割領域３４の形状や大きさは、全て同じ形状である必要は無い。また、本発明の他の実施形態によれば、分割領域３４は、ユーザが各分割領域の境界を視認できるように表示されている必要は無い。
【０１０６】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本願の実施形態に含まれる。
【符号の説明】
【０１０７】
７Ａ〜１９Ａ    画面
１Ｂ〜２７Ｂ    画面
１Ｃ〜２７Ｃ    画面
１Ｄ〜２７Ｄ    画面
３０、３０Ｕ、３０Ｄ、３０Ｌ、３０Ｒ    ボタン
３２    領域選択画面
３４、３４Ａ、３４Ｂ    分割領域
３６    選択領域
３８    非選択領域
４０、４０Ａ、４０Ｂ    仮想領域
４２    重点領域
４４    アシスト領域
１００    ＣＰＵ
１０２    操作部
１０４    駆動回路
１０６    撮影レンズ
１０７    レンズ駆動部
１０８    絞り
１１０    シャッタ
１１２    イメージセンサ
１１４    信号処理回路
１１６    画像処理エンジン
１１８    バッファメモリ
１２０    カード用インタフェース
１２２    ＬＣＤ制御回路
１２４    ＬＣＤ
１２５    表示領域
１２６    ＲＯＭ
１２８    外部接続インタフェース
２００    メモリカード
２０２    表示画面
３０１    撮影装置
３０２    外部表示装置
【図１】
2015072426.tif 000003
【図２】
2015072426.tif 000004
【図３】
2015072426.tif 000005
【図４】
2015072426.tif 000006
【図５】
2015072426.tif 000007
【図６】
2015072426.tif 000008
【図７】
2015072426.tif 000009
【図８】
2015072426.tif 000010